(57)【要約】【課題】密着度が優れた防水スライドファスナを提供する。【解決手段】同じ形状を持つ第１ファスナーテープ１と、第２ファスナーテープ２と、第１ファスナーテープ１および第２ファスナーテープ２上を移動可能である摺動部材３と、を備える。第１ファスナーテープ１および第２ファスナーテープ２は、テープ体１１、２１と、テープ体１１、２１の一方にテープ体１１、２１と一体に成形されている締結部材１２、２２と、締結部材１２、２２の一方の面に形成されている噛み合わせ部１３、２３とを有する。【選択図】図１
0003186101.tif 000002
【実用新案登録請求の範囲】
【請求項１】
同じ形状を有する第１ファスナーテープ及び第２ファスナーテープと、
前記第１ファスナーテープおよび前記第２ファスナーテープに結合されており、前記第１ファスナーテープおよび前記第２ファスナーテープ上を移動可能である摺動部材と、を備え、
前記第１ファスナーテープおよび前記第２ファスナーテープは、一つのテープ体、当該テープ体の一方に前記テープ体と一体に成形されている締結部材、および、前記締結部材の一方の面に形成されている噛み合わせ部を含み、
前記噛み合わせ部は、締結溝部、当該締結溝部の前記テープ体とは反対側に並列に形成されている締結突起部、前記締結溝部と前記締結突起部との間に形成されている第１密着部、および、前記締結突起部の前記第１密着部とは反対側に突き出している第２密着部を含み、
前記締結溝部は、前記締結部材に凹むことにより形成されている凹み溝、および、前記凹み溝の両側に形成されている二つの締結フックを有し、
前記締結突起部には首引込み部が形成されており、
前記第１ファスナーテープの前記締結突起部の端部が前記第２ファスナーテープの前記締結溝部の前記凹み溝に嵌め込まれており、前記第２ファスナーテープの二つの前記締結フックが前記第１ファスナーテープの前記締結突起部の前記首引込み部に嵌め込まれており、前記第１ファスナーテープの前記第１密着部および前記第２密着部と前記第２ファスナーテープの前記締結フックの表面とが密着し、
前記第２ファスナーテープの前記締結突起部の端部が前記第１ファスナーテープの前記締結溝部の前記凹み溝に嵌め込まれており、前記第１ファスナーテープの二つの前記締結フックが前記第２ファスナーテープの前記締結突起部の前記首引込み部に嵌め込まれており、前記第２ファスナーテープの前記第１密着部および前記第２密着部と前記第１ファスナーテープの前記締結フックの表面とが密着することを特徴とする防水スライドファスナ。
【請求項２】
前記第１ファスナーテープおよび前記第２ファスナーテープのうち、一方の前記第２密着部は、端部が他方のテープ体に当接し、他方の前記締結フックを覆うことを特徴とする請求項１に記載の防水スライドファスナ。
【請求項３】
前記第１ファスナーテープおよび前記第２ファスナーテープは、一端に防水ジャケットが設けられており、前記防水ジャケットに開口部が形成されており、
前記摺動部材は、前記開口部から前記防水ジャケット内に入ることを特徴とする請求項２に記載の防水スライドファスナ。
【請求項４】
前記第１ファスナーテープおよび前記第２ファスナーテープは、熱溶着により一端に一体形成されている第１圧着部を有することを特徴とする請求項３に記載の防水スライドファスナ。
【請求項５】
前記第１ファスナーテープおよび前記第２ファスナーテープは、熱溶着により他端に形成されている第２圧着部を有することを特徴とする請求項４に記載の防水スライドファスナ。
【請求項６】
前記第１ファスナーテープと前記第２ファスナーテープとは、プラスチック部材により一体に成形されていることを特徴とする請求項４または５に記載の防水スライドファスナ。
【考案の詳細な説明】
【技術分野】
【０００１】
本考案はファスナに関し、特に防水スライドファスナに関する。
【背景技術】
【０００２】
従来のファスナは２枚のファスナーテープ、それぞれファスナーテープの縁部に結合する務歯、２つ枚のファスナーテープの間で摺動自在に結合する摺動部材（スライダ）と、を備える。摺動部材を移動することによって、２つのファスナーテープの務歯を閉合または分離することができる。しかし、前述ファスナは務歯によって噛み合わせられ、務歯の間に隙間を残しており、防水効果を有しない。そのため、防水ファスナを開発されているが公知の防水ファスナも務歯構造を設けており、他の防水手段による水の沁み込みを防いでいる。そのうち、設計上が特殊な防水ファスナは務歯を設けておらず、チャックバッグに類似する構造が採用されており、一例として特許文献１がある。
【先行技術文献】
【特許文献】
【０００３】
【特許文献１】米国特許ＵＳ７５３６７５８号明細書
【考案の概要】
【考案が解決しようとする課題】
【０００４】
しかし、特許文献１に類似する防水ファスナによれば、２枚のファスナーテープを一体に成形されたファスナーテープはそれぞれの形状が異なっているため、２枚のファスナーテープを製造するには２組の金型を用いられており、生産コストが割高である。さらに、互いに噛み合わせる締結部構造について、密着度と、締結の安定性とも不足しているため、水の沁み込みを完全に防ぐことはできない。特に引っ張られると、ファスナーテープの締結が解除される。このほか、特殊構造の摺動部材（スライダ）が所在する２つのファスナーテープには締結でできないため、大きい隙間または締結されない欠き口を形成していまし、防水機能を大幅に低下させている。
本考案は、従来の分離し易い、密着度が不足であり、生産コストが高い防水ファスナの問題に鑑みてなされたものであり、密着度が優れた防水スライドファスナを提供することを目的とする。
【課題を解決するための手段】
【０００５】
本考案による防水スライドファスナは、第１ファスナーテープ、第２ファスナーテープ、ならびに、第１ファスナーテープおよび第２ファスナーテープに結合されており第１ファスナーテープおよび第２ファスナーテープ上を移動可能である摺動部材を備える。そのうち、第１ファスナーテープおよび第２ファスナーテープは、テープ体、テープ体の一方にテープ体と一体に形成されている締結部材、および、締結部材一方の面に形成されている噛み合わせ部を含む。噛み合わせ部は、締結溝部、締結溝部のテープ体とは反対側に並列に形成されている締結突起部、締結溝部と締結突起部との間に形成されている第１密着部、および、締結突起部の第１密着部とは反対側に突き出している第２密着部を含む。締結溝部は、締結部材に凹むことにより形成されている凹み溝、および、凹み溝の両側に形成されている二つの締結フックを有する。締結突起部には首引き込み部が形成されている。
【０００６】
第１ファスナーテープの締結突起部の端部が第２ファスナーテープの締結溝部の凹み溝に嵌め込まれており、第２ファスナーテープの二つの締結フックが第１ファスナーテープの締結突起部の首引込み部に嵌めこまれており、第１ファスナーテープの第１密着部および第２密着部と第２ファスナーテープの締結フックの表面とが密着する。
【０００７】
第２ファスナーテープの締結突起部の端部が第１ファスナーテープの締結溝部の凹み溝に嵌め込まれており、第１ファスナーテープの二つの締結フックが第２ファスナーテープの締結突起部の首引込み部に嵌めこまれており、第２ファスナーテープの第１密着部および第２密着部と第１ファスナーテープの締結フックの表面とが密着する。
【０００８】
第１ファスナーテープおよび第２ファスナーテープは、一端に防水ジャケットが設けられており、防水ジャケットに開口部が形成されており、摺動部材は開口部より防水ジャケット内に入る。
【図面の簡単な説明】
【０００９】
【図１】本考案の第一実施形態による防水スライドファスナを示す分解斜視図である。
【図２】本考案の第一実施形態による防水スライドファスナを示す斜視図である。
【図３】本考案の第一実施形態による防水スライドファスナを示す断面図である。
【図４】本考案の第一実施形態による防水スライドファスナを示す断面図である。
【図５】本考案の第一実施形態による防水スライドファスナを示す断面図である。
【図６】本考案の第一実施形態による防水スライドファスナを示す断面図である。
【図７】本考案の第二実施形態による防水スライドファスナを示す平面図である。
【図８】本考案の第三実施形態による防水スライドファスナを示す平面図である。
【図９】本考案の第四実施形態による防水スライドファスナを示す平面図である。
【図１０】本考案の第四実施形態による防水スライドファスナを示す断面図である。
【考案を実施するための形態】
【００１０】
本考案の実施形態による防水スライドファスナを図面に基づいて説明する。
（第一実施形態）
本考案の第一実施形態による防水スライドファスナを図１〜６に示す。
図１、２に示すように、本実施形態の２レール式防水スライドファスナの好ましい実施例を参照する。同じ形状を持つ第１ファスナーテープ１と第２ファスナーテープ２と、第１ファスナーテープ１と第２ファスナーテープ２との間に結合された摺動部材３と、を備え、摺動部材３を介して、第１ファスナーテープ１と第２ファスナーテープ２を結合または分離できる。
【００１１】
そのうち、図３に示すとおり、第１ファスナーテープ１と第２ファスナーテープ２はそれぞれプラスチック部材から一体に成形されている。一好ましい構造はテープ体１１、２１と、テープ体１１、２１の一辺に一体して成形される締結部材１２、２２と、締結部材１２、２２一つの表面に形成する噛み合わせ部１３、２３とを有する。テープ体１１、２１は長い片状のプラスチックテープ体からなり、雨具、旅行鞄などに使用できる。噛み合わせ部１３、２３は互いに噛み合わせする構造であり、好ましい構造は締結溝部１３１、２３１と、締結溝部１３１、２３１の一側に並列する締結突起部１３２、２３２と、締結溝部１３１、２３１と締結突起部１３２、２３２との間に接続する第１密着部１３３、２３３と、締結突起部１３２、２３２もう一側に突き出す第２密着部１３４、２３４とを含める。
【００１２】
締結溝部１３１、２３１は締結部材１２、２２一つの表面に凹入する凹み溝１３１１、２３１１と、凹み溝１３１１、２３１１の両側に形成する２つの締結フック１３１２、２３１２とを含み、凹み溝１３１１、２３１１は円弧状の溝表面を形成し、締結フック１３１２、２３１２の端部は円弧状の突き出し面を形成する。締結突起部１３２、２３２には首引き込み部１３２１、２３２１を備える端部１３２２、２３２２を有し、端部１３２２、２３２２の断面形状は凹み溝１３１１、２３１１に同様である。第１密着部１３３、２３３をそのうち一つの締結フック１３１２、２３１２に貼り合わせることによって、密着機能を達成できる。第２密着部１３４、２３４はその端部がそれぞれ第１ファスナーテープ１と、第２ファスナーテープ２のテープ体１１、２１にあてがう充分な長さを有し、第２密着部１３４、２３４をそのうちもう一つの締結フック１３１２、２３１２に覆い被せる。
【００１３】
引き続き、図５と６に示すとおり、摺動部材３（スライダ）の滑り移動によって、第１ファスナーテープ１と、第２ファスナーテープ２とを締結または分離することができる。噛み合わせ状態は図４に示すとおり、第１ファスナーテープ１の係合突起部１３２の端部１３２２を第２ファスナーテープ２に備える締結溝部２３１の凹み溝２３１１に嵌め込み、第２ファスナーテープ２に備える２つの締結フック２３１２を第１ファスナーテープ１の端部１３２２に備える首引き込み部１３２１締結すると共に、第１ファスナーテープ１の第１密着部１３３と、第２密着部１３４とを第２ファスナーテープ２に備える２つの締結フック２３１２の表面にて緊密に貼り合わせる。このほか、第２ファスナーテープ２に備える締結突起部２３２の端部２３２２を第１ファスナーテープ１の締結溝部１３１の凹み溝１３１１に嵌め込むことによって、第１ファスナーテープ１に備える２つの締結フック１３１２を第２ファスナーテープ２に備える端部２３２２の首引込み部２３２１に締結すると共に、第２ファスナーテープ２の第１密着部２３３と、第２密着部２３４とを緊密に第１ファスナーテープ１に備える２つの締結フック１３１２の表面に貼り合わせることもできる。
【００１４】
前述説明のうち、本実施形態の第１ファスナーテープ１と、第２ファスナーテープ２はプラスチック部材から一体に成形された同じ構造であり、一組の金型だけで仕上げ、引き続き、第１ファスナーテープ１と、第２ファスナーテープ２とを対向に組み合わせれば、本実施形態の２レール式防水スライドファスナを組み合わせることができ、生産コストを大幅に軽減できる。特に、本実施形態の噛み合わせ部１３、２３の締結溝部１３１、２３１と、締結突起部１３２、２３２と、第１密着部１３３、２３３と、第２密着部１３４、２３４の構造設計により、密着性と頑丈な噛み合わせ構造を形成し、確実な防水効果を達成できる。
【００１５】
（第二実施形態）
本考案の第二実施形態による防水スライドファスナを図７に示す。
図７に示すとおり、本実施形態の第１ファスナーテープ１と、第２ファスナーテープ２の一端はホットプレス方式により、一体に溶着する第１密着部４をもって、２レール式防水スライドファスナを片方向開きのファスナに組み合わせることができる。
【００１６】
（第三実施形態）
本考案の第三実施形態による防水スライドファスナを図８に示す。
引き続き、図８に示すとおり、本実施形態の第１ファスナーテープ１と、第２ファスナーテープ２もう一端はホットプレス方式により、一体に溶着する第２密着部５をもって、２レール式防水スライドファスナを両端部とも熱溶着の密閉構造に仕上げることができる。
【００１７】
（第四実施形態）
本考案の第四実施形態による防水スライドファスナを図９、１０に示す。
このほか、図９と１０に示すとおり、本実施形態の第１ファスナーテープ１と、第２ファスナーテープ２の一端には防水ジャケット６を設けていて、防水ジャケット６は第１ファスナーテープ１と第２ファスナーテープ２の一端に備えるプラスチックテープ体６１に熱溶着することによって、防水ジャケット６は摺動部材３に対応する開口部６２を形成し、摺動部材３を防水ジャケット６に引き込まれたとき、第１ファスナーテープ１と、第２ファスナーテープとを噛み合わせられるほか、摺動部材３を開口部６２より防水ジャケット６に栓入して、防水ジャケット６を噛み合わせていない隙間に覆い被せておき、完全かつ確実な防水効果を達成する。
【符号の説明】
【００１８】
１・・・第１ファスナーテープ、
２・・・第２ファスナーテープ、
１１、２１・・・テープ体、
１２、２２・・・締結部材、
１３、２３・・・噛み合わせ部、
１３１、２３１・・・締結溝部、
１３１１、２３１１・・・凹み溝、
１３１２、２３１２・・・締結フック、
１３２、２３２・・・締結突起部、
１３２１、２３２１・・・首引込み部、
１３２２、２３２２・・・端部、
１３３、２３３・・・第１密着部、
１３４、２３４・・・第２密着部、
３・・・摺動部材、
４・・・第１圧着部、
５・・・第２圧着部、
６・・・防水ジャケット、
６１・・・プラスチックテープ体、
６２・・・開口部。
【図１】
0003186101.tif 000003
【図２】
0003186101.tif 000004
【図３】
0003186101.tif 000005
【図４】
0003186101.tif 000006
【図５】
0003186101.tif 000007
【図６】
0003186101.tif 000008
【図７】
0003186101.tif 000009
【図８】
0003186101.tif 000010
【図９】
0003186101.tif 000011
【図１０】
0003186101.tif 000012